(57)【特許請求の範囲】
【請求項１】
利用者を特定するための識別情報が記憶された記憶媒体と無線通信によりデータの送受信を行う無線通信部と、
機能の設定画面を表示し、機能設定を受け付ける表示入力部と、
装置の動作を制御する制御部と、を備え、
前記無線通信部が前記識別情報を前記記憶媒体から取得した場合、前記制御部は、前記無線通信部に前記記憶媒体がかざされるごとに、前記表示入力部の表示を切り替えさせることを特徴とする画像形成装置。
【請求項２】
利用者を特定するための識別情報が記憶された記憶媒体と無線通信によりデータの送受信を行う無線通信部と、
機能の設定画面を表示し、機能設定を受け付ける表示入力部と、
装置の動作を制御する制御部と、を備え、
前記無線通信部が前記識別情報を前記記憶媒体から取得した場合、前記制御部は、前記無線通信部に前記記憶媒体がかざされ続けている間、所定間隔で前記表示入力部の表示を切り替えさせることを特徴とする画像形成装置。
【請求項３】
データを記憶可能な記憶部を備え、
前記表示入力部は、前記記憶媒体がかざされる、又は、かざされ続けることにより切り替えられる表示の順番を示す表示設定データの登録、更新入力を受け付け、
前記記憶部は、利用者ごとに前記表示設定データを記憶し、
前記制御部は、前記識別情報により特定された利用者の前記表示設定データに基づき、前記記憶媒体がかざされる、又は、かざされ続けることに応じて、前記表示入力部の表示切り替えを行うことを特徴とする請求項１又は２記載の画像形成装置。
【請求項４】
前記制御部は、前記記憶部ではなく、前記無線通信部により前記表示設定データを前記記憶媒体に記憶させ、
前記無線通信部は、前記記憶媒体から前記識別情報と前記表示設定データを取得し、
取得された前記表示設定データは、前記制御部に入力され、
前記制御部は、入力された前記表示設定データに基づき、前記表示入力部に表示を切り替えさせることを特徴とする請求項３に記載の画像形成装置。
【請求項５】
前記記憶媒体から前記無線通信部が受信した前記識別情報に基づき、画像形成装置を利用する資格を有し利用させてよいかの認証を行う認証部を備え、
前記制御部は、画像形成装置の未使用時、原則として画像形成装置を利用不可状態とするとともに、前記認証部が画像形成装置を利用させてもよいと認証した際に、画像形成装置を利用可能状態とすることを特徴とする請求項１乃至４のいずれか１項に記載の画像形成装置。
【請求項６】
前記画像形成装置は、コピー機能、プリンタ機能、スキャン機能、ＦＡＸ機能のうちの複数の機能、又は、全ての機能を備えた複合機であることを特徴とする請求項１乃至５のいずれか１項に記載の画像形成装置。
【請求項７】
少なくとも前記識別情報を記憶可能な記憶媒体と、
前記記憶媒体と無線通信によりデータの送受信を行う無線通信部と、設定可能な機能を画面表示し、機能設定を受け付ける表示入力部と、データを記憶可能な記憶部と、装置の動作を制御する制御部とを備える画像形成装置と、
画像形成装置内部又は外部に設けられる記憶部と、を備え、
前記表示入力部は、前記記憶媒体が前記無線通信部にかざされるごとに切り替えられる表示の順番を示す表示設定データの登録、更新入力を受け付け、前記記憶部は、利用者ごとに前記表示設定データを記憶し、
前記無線通信部が前記識別情報を前記記憶媒体から取得した場合、前記制御部は、前記無線通信部に前記記憶媒体がかざされるごとに、前記表示設定データに基づき、前記表示入力部の表示を切り替えさせることを特徴とする画像形成システム。
【請求項８】
少なくとも前記識別情報を記憶可能な記憶媒体と、
前記記憶媒体と無線通信によりデータの送受信を行う無線通信部と、設定可能な機能を画面表示し、機能設定を受け付ける表示入力部と、データを記憶可能な記憶部と、装置の動作を制御する制御部とを備える画像形成装置と、
画像形成装置内部又は外部に設けられる記憶部と、を備え、
前記表示入力部は、前記無線通信部に前記記憶媒体がかざされている間、切り替えられる表示の順番を示す表示設定データの登録、更新入力を受け付け、前記記憶部は、利用者ごとに前記表示設定データを記憶し、
前記無線通信部が前記識別情報を前記記憶媒体から取得した場合、前記制御部は、前記無線通信部に前記記憶媒体がかざされ続けている間、前記表示設定データに基づき、所定間隔で前記表示入力部の表示を切り替えさせることを特徴とする画像形成システム。
【発明の詳細な説明】
【技術分野】
【０００１】
本発明は、ＩＣカード等の記憶媒体を無線通信により読み取る無線通信部を備えたプリンタ、複写機、複合機等の画像形成装置及び画像形成システムに関する。
【背景技術】
【０００２】
近年の画像形成装置の多機能化のため、操作パネル等の表示入力部での設定が複雑化しやすい状況にある。そこで、画像形成装置には、利用者の操作の容易化のため、例えば、ワンタッチで目的とする設定画面へ飛ぶように、操作パネル等の表示の個人用設定を登録できるものが存在する。一方で、会社や官公庁などでは、コストや設置スペース等の問題から、一人一台ではなく、例えば、各部署やフロアごとに１台のプリンタ、複写機、複合機等の画像形成装置を設置し、画像形成装置を複数人で共同利用することがある。
【０００３】
しかし、画像形成装置を複数人で共同使用する場合、各個人が自由に専用の表示設定の登録を行えば、その表示設定が多数に及び、例えば、どの設定が誰の設定か分かり難くなる等、結局、操作パネル等での表示が複雑になり、視認性を落とすことになりかねない。更に、一般に登録可能な設定数には制限があり、専用の表示設定の登録を行えない利用者が出てくる。そこで、特許文献１記載の発明のような発明が提案されている。
【０００４】
具体的に、特許文献１には、画像読取り手段と、画像送信手段と、画像の読取り、送信の各種モード設定を行う操作手段と、操作手段の設定に応じ画像読取り手段および画像送信手段を制御する制御手段と、ユーザＩＤ認識手段と、パーソナライズ情報を記憶するサーバに対して認識したユーザＩＤを送信するユーザＩＤ送信手段と、送信したユーザＩＤに対応したパーソナライズ情報をサーバから受信するパーソナライズ情報取得手段と、前記操作手段をパーソナライズするパーソナライズ手段とを有する画像読取り装置（ＦＡＸ装置）が記載されている。この構成により、各種設定をサーバに各ユーザごとに集中的に保持し、設定をパーソナライズして、ユーザの操作性を著しく向上させようとする（特許文献１：請求項１、段落［０１７３］等参照）。
【特許文献１】特開平１１−０１７８６２号公報
【発明の開示】
【発明が解決しようとする課題】
【０００５】
特許文献１記載の発明では、確かに、操作画面でパーソナライズキーを押す等により、各個人ごとに操作パネル等の表示が変更され、操作性の向上は認められる。しかし、特許文献１の発明では、画面表示はパーソナライズされるが、利用者ごとに表示の順番や方法を大幅に変えるものではない（特許文献１：段落［００６５］、［０１３０］等参照）。即ち、利用者が使用したい機能を表示させるためには、従来通り、上位の階層から下位の階層に１階層ずつたどる必要があるという問題がある。
【０００６】
言い換えると、特許文献１記載の発明では、ある程度は各個人用に表示は変更されるものの、頻繁に使用する機能の設定画面や、比較的下位の階層に存在する機能の設定画面をいきなり表示させることができない。特に、多機能の複合機では、全く別種の機能を設定する際、一度最上位の階層まで戻ってから、目的とする機能の設定画面まで到達する必要が生じる場合もあり、機能の設定を迅速に行い難いという問題がある。
【０００７】
本発明は、上記従来技術の問題点に鑑みてなされたものであり、識別情報を読み取る無線通信部に、各個人を特定するための識別情報を記憶した記憶媒体をかざす状態に応じて表示部の表示切替を行うことで、各個人の機能の使用頻度等に応じて、目的とする機能の設定画面を迅速に表示する。これにより、利用者の操作性、視認性の向上を図る。
【課題を解決するための手段】
【０００８】
上記目的を達成するために、請求項１に係る画像形成装置は利用者を特定するための識別情報が記憶された記憶媒体と無線通信によりデータの送受信を行う無線通信部と、機能の設定画面を表示し、機能設定を受け付ける表示入力部と、装置の動作を制御する制御部と、を備え、前記無線通信部が前記識別情報を前記記憶媒体から取得した場合、前記制御部は、前記無線通信部に前記記憶媒体がかざされるごとに、前記表示入力部の表示を切り替えさせることとした。又、請求項２に係る画像形成装置は利用者を特定するための識別情報が記憶された記憶媒体と無線通信によりデータの送受信を行う無線通信部と、機能の設定画面を表示し、機能設定を受け付ける表示入力部と、装置の動作を制御する制御部と、を備え、前記無線通信部が前記識別情報を前記記憶媒体から取得した場合、前記制御部は、前記無線通信部に前記記憶媒体がかざされ続けている間、所定間隔で前記表示入力部の表示を切り替えさせることとした。
【０００９】
この構成によれば、無線通信部に記憶媒体をかざす状態に応じて、表示入力部の表示切替を行うので、表示入力部で階層をたどる等の複雑な操作を要することなく表示入力部での表示を切り替えることができる。又、無線通信部に記憶媒体がかざされるごとに、制御部は、表示入力部の表示を切り替えさせ、又は、無線通信部に記憶媒体をかざし続けている間、制御部は、表示入力部の表示を切り替えさせ続けるので、利用者は、表示入力部への操作を一切行うことなく、表示を切り替えることができる。
【００１０】
又、請求項３に係る発明は、請求項１又は２記載の発明において、データを記憶可能な記憶部を備え、前記表示入力部は、前記記憶媒体がかざされる、又は、かざされ続けることにより切り替えられる表示の順番を示す表示設定データの登録、更新入力を受け付け、
前記記憶部は、利用者ごとに前記表示設定データを記憶し、前記制御部は、前記識別情報により特定された利用者の前記表示設定データに基づき、前記記憶媒体がかざされる、又は、かざされ続けることに応じて、前記表示入力部の表示切り替えを行うこととした。
【００１１】
この構成によれば、各利用者が頻繁に使用する機能について表示されるように表示設定データを設定しておき、識別情報を利用して各利用者の表示設定データを読み出して表示入力部の表示を切り替えるから、各利用者は、頻繁に使用する機能の設定画面のみを選択的に表示させ、下位階層の機能の設定画面や全く別種の機能の設定画面をいきなり表示させることもできる。これにより、利便性の高い画像形成装置が提供される。
【００１４】
又、請求項４に係る発明は、請求項３の発明において、前記制御部は、前記記憶部ではなく、前記無線通信部により前記表示設定データを前記記憶媒体に記憶させ、前記無線通信部は、前記記憶媒体から前記識別情報と前記表示設定データを取得し、取得された前記表示設定データは、前記制御部に入力され、前記制御部は、入力された前記表示設定データに基づき、前記表示入力部に表示を切り替えさせることとした。
【００１５】
この構成によれば、制御部は、記憶部ではなく、無線通信部により表示設定データを記憶媒体に記憶するので、異なる画像形成装置を利用する場合や、故障等により記憶部の表示設定データが失われた場合でも、利用者は、表示入力部で表示設定データを入力することなく、頻繁に使用する機能の設定画面を表示入力部に表示させることができる。
【００１６】
又、請求項５に係る発明は、請求項１乃至４の発明において、前記記憶媒体から前記無線通信部が受信した前記識別情報に基づき、画像形成装置を利用する資格を有し利用させてよいかの認証を行う認証部を備え、前記制御部は、画像形成装置の未使用時、原則として画像形成装置を利用不可状態とするとともに、前記認証部が画像形成装置を利用させてもよいと認証した際に、画像形成装置を利用可能状態とすることとした。この構成によれば、記憶媒体から無線通信部が受信した識別情報に基づき、画像形成装置を利用可能か否かの認証を行う認証部を備えるので、画像形成装置の認証機能を利用して表示入力部の表示切替を行うことができる。
【００１７】
又、請求項６に係る発明は、請求項１乃至５の発明において、前記画像形成装置は、コピー機能、プリンタ機能、スキャン機能、ＦＡＸ機能のうちの複数の機能、又は、全ての機能を備えた複合機であることとした。この構成によれば、より操作が複雑となりやすい多機能の複合機においても、利用者は容易、迅速に機能の設定を行うことができる。
【００１８】
又、請求項７に係る発明は、画像形成システムにおいて、少なくとも前記識別情報を記憶可能な記憶媒体と、前記記憶媒体と無線通信によりデータの送受信を行う無線通信部と、設定可能な機能を画面表示し、機能設定を受け付ける表示入力部と、データを記憶可能な記憶部と、装置の動作を制御する制御部とを備える画像形成装置と、画像形成装置内部又は外部に設けられる記憶部と、を備え、前記表示入力部は、前記記憶媒体が前記無線通信部にかざされるごとに切り替えられる表示の順番を示す表示設定データの登録、更新入力を受け付け、前記記憶部は、利用者ごとに前記表示設定データを記憶し、前記無線通信部が前記識別情報を前記記憶媒体から取得した場合、前記制御部は、前記無線通信部に前記記憶媒体がかざされるごとに、前記表示設定データに基づき、前記表示入力部の表示を切り替えさせることとした。又、請求項８に係る発明は、画像形成システムにおいて、少なくとも前記識別情報を記憶可能な記憶媒体と、前記記憶媒体と無線通信によりデータの送受信を行う無線通信部と、設定可能な機能を画面表示し、機能設定を受け付ける表示入力部と、データを記憶可能な記憶部と、装置の動作を制御する制御部とを備える画像形成装置と、画像形成装置内部又は外部に設けられる記憶部と、を備え、前記表示入力部は、前記無線通信部に前記記憶媒体がかざされている間、切り替えられる表示の順番を示す表示設定データの登録、更新入力を受け付け、前記記憶部は、利用者ごとに前記表示設定データを記憶し、前記無線通信部が前記識別情報を前記記憶媒体から取得した場合、前記制御部は、前記無線通信部に前記記憶媒体がかざされ続けている間、前記表示設定データに基づき、所定間隔で前記表示入力部の表示を切り替えさせることとした。
【００１９】
この構成は、本発明を記憶媒体と画像形成装置による１つのシステムを１つの発明ととらえたもので、請求項１や２と同様の効果を有する。
【発明の効果】
【００２０】
上述したように、本発明によれば、従来、表示入力部で階層をたどり目的とする機能の設定画面に到達する必要があったが、そのような操作を省略し、頻繁に利用する機能の設定画面を表示させることができる。これにより、利用者の操作性、視認性、利便性を向上させることができる
【発明を実施するための最良の形態】
【００２１】
以下、本発明の実施形態について図１〜９を参照しつつ説明する。ここで、本発明は、各種画像形成装置に適用可能であるが、本発明を、ＩＣカード７（記憶媒体に相当）により利用者を特定し、利用資格を有するかの認証を行うためのカードリーダ６（無線通信部に相当）を備えた複合機１（画像形成装置に相当）を例に挙げて説明する。但し、本実施の形態に記載されている構成、配置等の各要素は、発明の範囲を限定するものではなく単なる説明例にすぎない。
【００２２】
（画像形成装置の概略）
まず、図１に基づき、本発明の実施形態に係る複合機１の概略について説明する。図１は、本発明の実施形態に係る複合機１の模型的正面断面図である。
【００２３】
図１に示すように、本実施形態の複合機１は、最上部に原稿搬送装置３ａを有し、複合機１本体には、操作パネル２、原稿読取部３ｂ、用紙供給部４ａ、用紙搬送路４ｂ、画像形成部５ａ、定着部５ｂ、カードリーダ６（無線通信部に相当）等が設けられる。
【００２４】
前記原稿搬送装置３ａは、原稿の複写時、複数の原稿搬送ローラ対３１の回転駆動により、原稿載置トレイ３２に積載された原稿を１枚ずつ、自動的、連続的に、原稿読取部３ｂの読み取り位置に向けて搬送する。前記原稿読取部３ｂは、原稿を読み取り、原稿の画像データを形成する。原稿読取部３ｂの上面には、コンタクトガラス３３が設けられ、又、原稿読取部３ｂ内には露光ランプ、ミラー、レンズ、イメージセンサ（例えば、ＣＣＤ）等の光学系部材（不図示）が設けられる。
【００２５】
そして、この光学系部材を用い、原稿搬送装置３ａが搬送する原稿や、コンタクトガラス３３に載置される原稿に光を照射し、その原稿の反射光を受けたイメージセンサの各画素の出力値をＡ／Ｄ変換し、画像データを生成し、複合機１は、読み取りにより得られた画像データに基づき印刷を行うことができる（コピー機能）。尚、原稿搬送装置３ａは、図１の紙面奥側に支点が設けられ持ち上げ可能であり、コンタクトガラス３３に原稿を載置した後、原稿搬送装置３ａで原稿を押さえる。
【００２６】
前記用紙供給部４ａは、複数の用紙（例えば、コピー用紙、普通紙、再生紙、厚紙、ＯＨＰシート等の各種シート）を収容し、１枚ずつ用紙搬送路４ｂに送り込む。用紙供給部４ａは、収納用紙が載置されるカセット４１、カセット４１から用紙搬送路４ｂに送り出すため回転駆動する給紙ローラ４２等を備える。例えば、印刷時には、給紙ローラ４２が回転駆動し、画像形成に必要となる用紙が１枚ずつ用紙搬送路４ｂに送り出される。
【００２７】
前記用紙搬送路４ｂは、用紙供給部４ａから排出トレイ４３まで用紙を搬送する。尚、用紙搬送経路上には画像形成部５ａ、定着部５ｂ等が配される。そして、用紙搬送路４ｂには、用紙の案内のためのガイド４４や、用紙搬送の際に回転駆動する搬送ローラ対４５や、搬送されてくる用紙を画像形成部５ａの手前で待機させ、トナー像形成のタイミングを合わせて用紙を送り出すレジストローラ対４６等が設けられる。
【００２８】
前記画像形成部５ａは、画像データに基づきトナー像を形成し、搬送される用紙にトナー像を転写する。そのため、画像形成部５ａは、図１中に示す矢印方向に回転駆動可能に支持された感光体ドラム５１、及び、感光体ドラム５１の周囲に配設された帯電装置５２、レーザ走査ユニット５３、現像装置５４、転写ローラ５５、清掃装置５６等を備える。
【００２９】
トナー像形成及び転写プロセスを説明すると、画像形成部５ａの略中心に設けられ、所定方向に回転駆動する感光体ドラム５１は、図１において、感光体ドラム５１の右斜め上方に設けられる帯電装置５２によって所定電位に帯電させられる。レーザ走査ユニット５３は、図１において、帯電装置５２の右側方に設けられ、画像データに基づき、レーザ光Ｌをから出力し、感光体ドラム５１表面を走査露光して画像データに応じた静電潜像を形成する。尚、画像データは、原稿読取部３ｂで得られた画像データや、ネットワーク等により接続されるユーザ端末１００や相手方ＦＡＸ装置２００（図２参照）から送信された画像データ等が用いられる。そして、図１において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００３０】
前記定着部５ｂは、用紙に転写されたトナー像を定着させる。本実施形態における定着部５ｂは、主として発熱体を内蔵する加熱ローラ５７と加圧ローラ５８で構成される。加熱ローラ５７と加圧ローラ５８は圧接しニップを形成する。そして、用紙が、このニップを通過することで、用紙表面のトナーが溶融・加熱され、トナー像が用紙に定着する。トナー定着後の用紙は、排出トレイ４３が受け止める。このようにして、コピー機能、プリンタ機能の利用時、画像形成（印刷）が行われる。
【００３１】
そして、詳細は後述するが、本実施形態における複合機１の右側面上方に、利用者を特定するための識別情報を記憶するＩＣカード７（記憶媒体に相当）と電波（電磁波）により無線通信を行って、ＩＣカード７に記憶されるデータの送受信を行うカードリーダ６が設けられる。このＩＣカード７には、カードを所有する利用者を識別、特定するためのデータである識別情報が記憶されるが、この識別情報は、例えば、社員ＩＤや所属部署等、個人を特定するためのデータとすることができる。
【００３２】
尚、本発明を実施するためには、利用者が特定されればよいが、本実施形態の複合機１では、利用者特定のほか、カードリーダ６により取得された識別情報を用いて、そのＩＣカード７の所有者が複合機１の利用資格を有するかの認証が行われる（詳細は後述）。これにより、複合機１の利用管理が行われる（詳細は後述）。
【００３３】
そこで、次に、図２に基づき、本発明の実施形態に係る複合機１のハードウェア構成について説明する。図２は、本発明の実施形態に係る複合機１の構成の一例を示すブロック図である。
【００３４】
複合機１内には、制御部８が設けられ、制御部８は、複合機１の動作を制御し、例えば、ＣＰＵ８１、記憶部８２等から構成される。
【００３５】
前記ＣＰＵ８１は、中央演算処理装置であって、記憶部８２に格納され、展開される制御プログラムに基づき複合機１の各部を制御する。尚、ＣＰＵ８１以外に、操作パネル２の表示制御用のＣＰＵが操作パネル２等に設けられても良い。画像処理部８３は、印刷を行う画像データや、ユーザ端末１００や相手方のＦＡＸ装置２００に送信される画像データに対し、各種画像処理を施す。
【００３６】
前記記憶部８２は、ＲＯＭ、ＲＡＭ、ＨＤＤ等の不揮発性と揮発性の記憶装置を組み合わせて構成される。この記憶部８２には、複合機１の制御用プログラム、制御用データ、設定データ、画像データ等の各種データを記憶できる。
【００３７】
又、本発明は、カードリーダ６が識別情報をＩＣカード７から取得した場合、制御部８は、ＩＣカード７をかざす状態に応じて、操作パネル２の表示切替を行う点に特徴を有する。そして、記憶部８２は、識別情報の取得時に行う液晶表示部２３の最初の表示、及び、切り替えられる表示の順番を示すデータ（以下、「表示設定データ」という。）を各利用者に対応させて記憶することができる。尚、詳細は後述するが、操作パネル２にて、表示設定データの登録、更新入力が受け付けられる。
【００３８】
そして、制御部８は、操作パネル２、原稿搬送装置３ａ、原稿読取部３ｂ、用紙供給部４ａ、用紙搬送路４ｂ、画像形成部５ａ、定着部５ｂ等の各部と信号線等で接続され、複合機１の動作を制御する。又、本発明に関し、制御部８には、認証部９が接続される。本実施形態では、認証部９をハードウェアとして、又は、制御部８のＣＰＵ８１、記憶部８２、プログラム等で、ソフトウェア的に実現可能である。
【００３９】
又、認証部９は、カードリーダ６と接続される。そして、認証部９は、カードリーダ６が取得したＩＣカード７の記憶する識別情報と、認証部９が保有し利用可能か否か（利用資格を理由するか）の認証を行うためのデータ（以下、「認証用データ」という。）と、を比較し、利用可否の認証を行う。例えば、認証部９は、利用資格を有する利用者が所持するＩＣカード７の記憶する識別情報を、認証用データとして全ＩＣカード７について記憶しておく。そして、認証作業では、例えば、認証用データ内に、ＩＣカード７から得られた識別情報と一致するものがあるかを確認する。即ち、認証部９は、ＩＣカード７内の識別情報に基づき、複合機１を利用する資格を有し利用させてよいかの認証を行う。
【００４０】
ここで、本実施形態の複合機１の制御部８は、基本的に、複合機１を利用不可状態とする。例えば、利用不可状態では、操作パネル２にコピーやＦＡＸ送信を行う旨の操作・入力が行われても、制御部８は、その動作指示入力を無視する。又、ユーザ端末１００から画像データの送信があっても、印刷を行わず、制御部８は、画像データの送信を受け付け記憶部８２等に一時的に保存しても印刷は行わない。これにより、複合機１を利用者を制限し、利用者の特定も行え、複合機１の利用状況の管理を行うことができる。
【００４１】
一方、利用可能である場合の認証結果は、制御部８に送られ、この認証結果を受けて、制御部８は、複合機１を利用可能な状態とする。言い換えると、認証部９からカードの所有者が複合機１を利用できる資格を有するとの認証結果が送られた場合（利用可能な者のＩＣカード７と認められた場合）、複合機１は利用可能となる。そして、この時、その印刷枚数や使用日時等の利用記録を得て、又、表示設定データと対応させるため、認証部９から利用者を特定するための情報（例えば、識別情報）もあわせて送信される。そして、制御部８は、記憶部８２等に、利用記録を保存する。
【００４２】
更に、制御部８は、各種コネクタ、ソケット等を備えたＩ／Ｆ部８４（インターフェイス部）と接続される。Ｉ／Ｆ部８４は、ネットワークや公衆回線等により複数のユーザ端末１００や相手方のＦＡＸ装置２００と接続され、例えば、画像データをユーザ端末１００や相手方ＦＡＸ装置２００（インターネットＦＡＸでもよい）に送信することができる（スキャナ機能、ＦＡＸ機能）。又、ユーザ端末１００や相手方ＦＡＸ装置２００からの画像データに基づき印刷を行うこともできる（プリンタ機能、ＦＡＸ機能）。即ち、複合機１は、コピー機能、プリンタ機能、スキャン機能、ＦＡＸ機能のうちの複数の機能を備える。又、Ｉ／Ｆ部８４を利用し、ネットワーク内のサーバ３００と複合機１を接続でき、例えば、サーバ３００に各利用者の表示設定データを記憶させておくこともできる。
【００４３】
（カードリーダ６、ＩＣカード７、認証部９の構成）
次に、図３に基づき、本発明の実施形態に係るカードリーダ６、ＩＣカード７及び認証部９について詳細に説明する。図３は、本発明の実施形態に係る認証部９、カードリーダ６、ＩＣカード７の構成、接続の一例を示すブロック図である。
【００４４】
図３に示すように、本実施形態の複合機１では、制御部８とカードリーダ６の間に直列に認証部９が設けられる。これにより、ＩＣカード７による認証システムが構築されている。以下、各構成について説明してゆく。
【００４５】
まず、複合機１には、カードリーダ６が設けられ、このカードリーダ６は上述したように、ＩＣカード７と電磁波（電波）により無線通信を行う。そして、カードリーダ６は、ＣＰＵ６１、メモリ６２、アンテナ６３、変調回路部６４、復調部６５等が設けられる。
【００４６】
ＣＰＵ６１は、メモリ６２に記憶される制御用プログラムや制御用データを利用して、カードリーダ６の動作、通信の制御、各種演算を行う。アンテナ６３は、ＩＣカード７との無線通信のため、電波（電磁波）の放出やＩＣカード７からの電波（反射波等）を受信する。変調回路部６４は、搬送波を送り出し、搬送波に信号波をのせる変調を行う。この変調回路部６４は、振幅変調、周波数変調、位相変調等、カードリーダ６とＩＣカード７間の通信に採用される変復調方式に応じたものとなる。復調部６５は、ＩＣカード７からの信号波の復調を行い、ＩＣカード７から送られた識別情報等のデータ信号を取り出す。
【００４７】
次に、利用者を特定するための識別情報を記憶するＩＣカード７について説明する。ＩＣカード７は、制御演算回路、変復調回路、メモリ等を内蔵するＩＣチップ７１と、アンテナ７２と電源部７３を内蔵する。そして、ＩＣチップ７１は、少なくとも識別情報を記憶し、ＩＣカード７は、無線通信によりカードリーダ６から指示を受け、ＩＣチップ７１内の識別情報をカードリーダ６に送信する。そして、ＩＣカード７は、カードリーダ６から放出された搬送波を受け、これを電源部７３にて整流し、電源として利用してＩＣチップ７１を駆動させ、そしてアンテナ７２から保持するデータを反射波に乗せてカードリーダ６に送信する、いわゆるパッシブ型のものを採用することができる。
【００４８】
又、ＩＣカード７は、カードリーダ６からのデータ受信や指示を受け、ＩＣチップ７１内のメモリのデータの書込・更新を行うこともできる。この場合、カードリーダ６は、カードライタとして機能する。更に、ＩＣカード７には、各利用者の表示設定データを記憶させてもよい。言い換えると、表示設定データをＩＣカード７に送信して、ＩＣカード７は、ＩＣチップ７１内のメモリに表示設定データを記憶することができる。
【００４９】
そして、カードリーダ６と制御部８と接続される認証部９は、ＣＰＵ９１や、メモリ９２、接続回路９３を備え、カードリーダ６や制御部８とデータの送受信が可能である。又、ＣＰＵ９１は、認証部９の動作を制御する。メモリ９２は、認証部９の動作制御用プログラム、認証用データ等を記憶する。そして、ＣＰＵ９１は、カードリーダ６で読み取られ、認証部９に送信されたＩＣカード７の識別情報と、メモリ９２が格納する認証用データを比較し、認証用データ中に一致するデータがあるかを確認する。そして、一致した場合は、複合機１の利用を許可すべき旨の信号と、例えば、一致した識別情報等の利用者を特定する情報を制御部８に向けて送信する。
【００５０】
次に、図４に基づき、本発明の実施形態に係る複合機１を利用できるようにするための登録及び表示設定データの設定について説明する。図４は、本発明の実施形態に係る複合機１の操作パネル２の一例を示す。
【００５１】
図４に示すように、複合機１の正面上方に設けられる操作パネル２は、テンキー部２１やスタートキー２２等の入力、設定用の各種キーを備える。又、操作パネル２は、装置の動作状態や各種メッセージを表示し、又、タッチパネルにより各種設定、モード選択等を行うことができる液晶表示部２３を備える。即ち、操作パネル２は、機能の設定画面を表示し、機能設定を受け付ける。尚、設定可能な機能の種類の詳細な説明は後述する。
【００５２】
そして、操作パネル２を操作し、複合機１の利用可能者の新たな登録や変更を行うことができる。この場合、例えば、操作パネル２から複合機１を利用させる個人を特定する各種データ（例えば、個人名、所属部署、ユーザ端末１００のアドレス等）を入力する。そして、各種データから識別情報を生成し、生成された識別情報を記憶部８２や認証部９のメモリ９２に認証用データとして追加し、又、カードリーダ６をカードライタとして利用し、ＩＣカード７に識別情報の記憶・更新を行わせる。即ち、ＩＣカード７の新たな登録を行うことができる。又、会社の社員証や身分証明書用に、既にＩＣカード７が用いられている場合、カードリーダ６に社員証や身分証明書を読み取らせ、読み取った情報を認証用データとして、記憶部８２や認証部９のメモリ９２に記憶してもよい。これにより、新たなＩＣカード７を用意することなく、複合機１の利用を管理することができる。
【００５３】
次に、図４に示す操作パネル２で設定可能な機能について説明する。本実施形態の複合機１では、液晶表示部２３に各機能の設定画面を表示させ、利用者は各設定画面に表示されるボタン、キー等を押下することで多種多様な機能選択、設定を行うことができる。その画面の種類、設定可能な機能はあまりに多数にわたるため、便宜上、図示を避け、設定できる機能を列挙するに留める。
【００５４】
まず、複合機１をコピーとして利用する場合は、利用者は、液晶表示部２３に表示される設定画面への入力により、例えば、原稿の画質確認機能（文字、写真、文字＋写真）、コピー濃度変更機能（マニュアル調整、白動濃度調整）、白動用紙選択機能（等倍、変倍）、白動倍率選択機能、等倍コピー機能、拡大・縮小（ズーム）コピー機能、固定変倍機能、たてよこ独立変倍機能、エコプリント機能、とじしろ機能、センター移動機能、枠消し機能、片面コピー機能、両面コピー機能（片面→両面、両面→両面、見開き→両面）、分割コピー機能（両面→片面、見開き→片面）、小冊子機能、表紙付け機能、ＯＨＰ合紙印刷機能、用紙選択機能、原稿セット向き確認機能、原稿サイズ選択機能（統一、混載）、ソート機能、仕分けコピー機能、白黒反転機能、鏡像印刷機能、ページ付け機能、イメージ合成機能、集約機能（２ｉｎ１、４ｉｎ１等）、書き込み余白機能、連続読込一括印刷機能、試しコピー機能、再コピー機能、フォーム管理機能（フォームの登録）、画像データの蓄積共有ボックス２５機能、ジョブ結合ボックス２５機能、割り込み印刷機能、管理機能（枚数カウント等）、後処理装置（フィニッシャー）が装着される場合のステープル設定機能やパンチ設定機能等の機能設定を行える。
【００５５】
次に、複合機１をプリンタとして利用する場合、利用者は、液晶表示部２３に表示される設定画面への入力により、例えば、複合機１の累計印刷枚数等のステータス印刷機能、Ｉ／Ｆ部８４による複合機１とユーザ端末１００の接続設定機能（パラレル、シリアル、通信速度、ＩＰアドレス等）、エミュレーション機能、使用フォント設定機能、印刷環境に関する機能（印刷枚数、用紙サイズ、拡大・縮小、印刷領域拡大等）、印刷品質に関する機能（スムージング処理、エコプリント、解像度等）、用紙に関する機能（サイズ、給紙元、両面印刷の可否等）、複合機１に装着されるＲＡＭ、ＨＤＤ、メモリカード等の記憶装置の使用設定機能、管理機能（枚数カウント等）等の機能設定を行える。
【００５６】
次に、複合機１をスキャナとして利用する場合は、利用者は、液晶表示部２３に表示される設定画面への入力により、例えば、原稿サイズ確認機能、送信サイズ選択機能、読み込み解像度選択機能、原稿セット向き確認機能、保存ファイル形式選択機能、読み込み画質に関する機能（読み込み濃度、カラーモード選択、画像データの圧縮率、写真や文字等の原稿の画質）、分割機能、枠消し機能、ページ毎出力機能、連続読み込み機能、ファイル名入力機能、センター移動機能、送信先選択機能、送信先登録機能、パスワード機能、Ｅメール送信機能、相手方受信確認機能等の機能設定を行える。
【００５７】
次に、複合機１をＦＡＸとして利用する場合、利用者は、液晶表示部２３に表示される設定画面への入力により、例えば、自局情報登録機能（ＦＡＸ番号、ＩＤ等）、ダイレクト送信機能、メモリ送信機能、回転通信機能（送信、受信）、一括送信機能、Ｆコード通信機能、用紙切れ時受信機能、短縮番号機能、原稿濃度選択機能、原稿サイズ指定機能、送信先選択機能、送信先登録機能、ワンタッチダイヤル機能（送信、登録、変更）、リダイヤル機能、両面送信機能、拡大・縮小送信機能、送信予約機能、順次同報通信機能、割込送信機能、時刻指定通信機能、ポーリング通信機能、中継送信機能、受信画像データの転送機能、暗号通信機能、管理機能（送信制限、枚数カウント等）、通信結果通知機能、用紙サイズ確認機能、集約機能（２ｉｎ１等）、両面受信機能等の機能設定を行える。
【００５８】
次に、本発明の実施形態に係るカードリーダ６に正当なＩＣカード７がかざされた時の操作パネル２（液晶表示部２３）の表示の設定の登録について、図５及び図６に基づき説明する。図５は、本発明の実施形態に係る正当なＩＣカード７がかざされた時の液晶表示部２３の表示の設定の登録を行う際の制御の一例を示すフローチャートである。図６は、本発明の実施形態に係る液晶表示部２３での表示の一例を示す説明図である。
【００５９】
本実施形態の複合機１では、上述したように、利用者の設定に基づき、ＩＣカード７をかざす状態に応じて、液晶表示部２３の表示画面を切り替える。そして、表示画面の切替における画面表示、順番等の各種設定は、操作パネル２を利用して行うことができる。
【００６０】
そこで、図５により、表示画面の切替設定方法を説明する。まず、図５に示すスタートは、複合機１の利用可能時であり、操作パネル２と液晶表示部２３に表示画面の切替設定を行う旨の入力がなされた時点である。
【００６１】
そして、この時、液晶表示部２３の表示は、図６（ａ）に示すように、表示の切替設定用の画面となる（ステップ♯１）。表示の切替設定用画面２４では、既に登録された機能の設定画面はボックス２５内に表示される。尚、図６（ａ）では、３つのボックス２５の内、２つのボックス２５ａ、２５ｂについては、複数枚の画像データを１枚に収めて印刷する集約機能の下位の階層に存在する「２ｉｎ１機能」（２ページを１枚に）と、「４ｉｎ１機能」（４ページを１枚に）を設定用の画面を表示するように既に登録されている。そして、３つのボックス２５の左側には数字が付され、この数字は、優先順位を示している。即ち、この利用者に関しては、ＩＣカード７がカードリーダ６にかざされた際に、液晶表示部２３には、まず、「２ｉｎ１機能」の設定画面が表示され、ＩＣカード７のかざす状態によって、次に、「４ｉｎ１機能」の設定画面が表示されることになる。
【００６２】
例えば、次に、利用者が、３つめに、集約機能（「２ｉｎ１」機能や「４ｉｎ１」機能の上位階層）の設定画面を表示させるための登録を行おうとする場合、利用者は、追加ボックス２６を押下する。そうすると、図６（ａ）に示すように、無地のボックス２５ｃが新たに出現する。この無地のボックス２５ｃを押下すると、例えば、液晶表示部２３の表示が初期表示（最上層に位置する設定画面）に切り替わり、利用者は、階層をたどり、液晶表示部２３の押下を繰り返して、例えば、図６（ｂ）に示すような、の集約機能設定画面に到達する。この時、例えば、液晶表示部２３の右下隅に登録用のボックス２５ｄが表示されるようにしておく。そして、この画面で、利用者が登録用のボックス２５ｄを押下すれば、ボックス２５ｃに例えば「集約機能」と言う文字が表示されるようになり、３つ目の表示画面の登録がなされる。尚、登録しておく機能の設定画面に特に制限はなく、コピー、プリンタ、スキャン、ＦＡＸに関するいずれの機能設定画面でも登録、記憶させておくことができる。そして、設定の登録が終われば、終了ボックス２７が押下される。
【００６３】
これにより、この利用者が複合機１を利用する際、ＩＣカード７をカードリーダ６にかざす状態により、「２ｉｎ１」→「４ｉｎ１」→「集約機能」と液晶表示部２３の表示が切り替わる。従って、機能の利用頻度等を考慮して各利用者が、この切替における表示される機能の設定画面とその順番（優先順位）を登録しておくことで、迅速、容易に目的とする機能の設定画面に到達することができる。
【００６４】
このように、操作パネル２（液晶表示部２３）を利用して、各利用者により、認証時の液晶表示部２３の表示とその順番の設定の登録（表示設定データの登録）が行われる（ステップ♯１）。そして、この設定の登録の内容は、表示設定データとして制御部８に送信され、利用者の特定のため識別情報と対応させて記憶部８２等に記憶される（ステップ♯２）。尚、この時、複合機１に接続されるサーバ３００に、識別情報と対応させて、表示設定データを記憶してもよく、カードリーダ６を介してその設定者のＩＣカード７に記憶されても良い。即ち、表示設定データは、記憶部８２、サーバ３００、ＩＣカード７のいずれか、又は、全てに記憶させることができる。この表示設定データの記憶により、表示設定データの設定の登録は完了する（エンド）
【００６５】
次に、図７及び８に基づき、本実施形態におけるＩＣカード７をカードリーダ６にかざす状態による機能設定の表示の切り替えの利点について説明する。図７及び図８は、本発明の実施形態に係る液晶表示部２３の表示の切替の一例を示す説明図である。
【００６６】
図７は、本実施形態の複合機１において、コピー機能に関する機能表示の切替の一例を示し、上段は「２ｉｎ１機能」での設定画面２７ａ、中段は「両面印刷機能」での設定画面２７ｂ、下段はコピー機能のほぼ最上層に位置する機能選択画面２７ｃの一例である。そして、本例では、上段から下段に向けて、液晶表示部２３の表示が切り替えられるものとして説明する。言い換えると、表示設定データとして、２ｉｎ１機能設定画面２７ａ、両面印刷機能設定画面２７ｂ、機能選択画面２７ｃの順に切替表示する旨の登録がなされている場合の表示である。
【００６７】
まず、本実施形態の複合機１では、認証により利用可能となった際に、制御部８は、識別情報と表示設定データに基づき、最も優先順位の高い機能の設定画面を液晶表示部２３に表示させる（この説明では、２ｉｎ１機能設定画面２７ａ）。そして、ＩＣカード７をカードリーダ６にかざしている状態により、表示設定データに基づき、液晶表示部２３の表示が切り替えられる。
【００６８】
例えば、カードリーダ６は、同じＩＣカード７と断続的に通信可能となることを検出すれば、ＩＣカード７が繰り返しカードリーダ６にかざされていることを検出できる。又、カードリーダ６は、同じＩＣカード７と通信可能状態が継続することにより、ＩＣカード７がカードリーダ６にかざされ続けていることを検出できる。ＩＣカード７がかざされている状態を通知する信号は、制御部８に入力することができる。
【００６９】
そこで、本実施形態の複合機１では、ＩＣカード７がカードリーダ６に再度かざされたことや、ＩＣカード７がかざされ続けていることを検出して、表示設定データに基づき、液晶表示部２３の表示を切り替える。尚、ＩＣカード７がかざされ続けている場合、例えば、所定間隔（例えば、０．５〜数秒）で液晶表示部２３の表示を切り替えることができる。この表示切替の利点を以下に説明する。
【００７０】
通常、例えば、「２ｉｎ１機能」と「両面印刷機能」の設定を同時に行う場合、初期画面から、２ｉｎ１機能設定画面２７ａに到達して設定後、上層に戻る操作を行い、両面印刷機能設定画面２７ｂに到達し、設定を行う必要がある。そのため、複数回、液晶表示部２３を押下する必要がある。
【００７１】
しかし、本発明では、各利用者が頻繁に利用する機能の設定画面について、表示設定データとして設定の登録しておけば、カードリーダ６をかざす回数、又は、かざし続けるという極めて容易な動作で、２ｉｎ１機能設定画面２７ａから両面印刷機能設定画面２７ｂに切り替わる。これにより、ＩＣカード７をかざす状態によって、次々に液晶表示部２３の表示を切り替えることができ、迅速、簡易に目的とする機能設定の画面に到達できる。これは、利用者が複合機１の機能の全てを万遍なく使用することは一般的でなく、むしろ偏るものであり、例えば、表示設定データとして、複数個（例えば、１〜十数個）の機能設定画面を登録させておけば、その利用者が行いうる機能設定の大半が網羅され得る。
【００７２】
又、例えば、登録していない機能を使用する場合等、最上層に戻る必要性を考慮して、登録可能な画面に、図７の最下段に示すように、ほぼ最上層の機能選択画面２７ｃも含めておいてもよい。又、例えば、表示設定データによる画面の切替が最終順位まで到った場合、常に、ほぼ最上層の機能選択画面２７ｃを表示する制御が行われても良い。
【００７３】
次に、図８に基づき、コピー、ファックス、スキャンとカテゴリーがそれぞれ異なる機能の設定の表示切り替えについて説明する。
【００７４】
例えば、各利用者は、コピーをしてから、スキャンするというように、複数の作業を同時に行う場合がある。そして、本実施形態の複合機１では、設定画面の順番を表示設定データとして登録しておけば、カテゴリーが全く異なる機能の設定画面に瞬時に切り替えることも可能である（図８では、機能選択画面２７ｃ、スキャン送信先選択画面２７ｄ、ＦＡＸ送信先選択画面２７ｅの順に切り替わるように、表示設定データが登録される）。
【００７５】
例えば、コピーした後に、スキャンを行う場合、従来であれば、コピー完了後、操作パネル２を操作し、液晶表示部２３にスキャンに関する最上層の設定画面の表示を行い、下位に階層に下りつつ機能設定がなされる。しかし、本発明であれば、いきなり図８の中段に示すようにスキャンでの画像データの送信先選択画面２７ｄに飛ぶことができる。しかも、その切替は、利用者は再度ＩＣカード７をカードリーダ６にかざすだけでよい。
【００７６】
更に、ＦＡＸ機能を利用したい場合、予め表示設定データとして、例えば、ＦＡＸ送信先選択画面２７ｅを登録しておけば、例えば、利用者がＩＣカード７をカードリーダ６にかざすだけで、ＦＡＸ送信先選択画面２７ｅを表示することができる。
【００７７】
次に、図９に基づき、本発明の実施形態に係る液晶表示部２３の表示の切替と制御の流れを説明する。図９は、本発明の実施形態に係る液晶表示部２３の表示の切替制御の流れの一例を説明するためのフローチャートである。
【００７８】
まず、図９のスタートでは、複合機１は、利用者がおらず、利用不可の待機状態である。この時、カードリーダ６は、ＩＣカード７がかざされたことを検出するため、電磁波（電波）を一定周期で発信し（ステップ♯１０）、ＩＣカード７がかざされたかを確認する（ステップ♯１１）。そして、複合機１は、ＩＣカード７がカードリーダ６にかざされるまで、利用不可状態を維持する（ステップ♯１１のＮｏ）。
【００７９】
そして、ＩＣカード７がカードリーダ６にかざされた場合、カードリーダ６は、ＩＣカード７から識別情報を読み取り（ステップ♯１２）、その識別情報に基づき認証部９が、そのＩＣカード７の所有者に複合機１を利用させて良いか認証を行う（ステップ♯１３）。もし、認証部９が有する認証用データ内に、取得された識別情報と一致するデータがなければ（ステップ♯１３のＮｏ）、制御部８は、複合機１の利用不可状態を維持する（ステップ♯１４、ステップ♯１０に戻る）。
【００８０】
一方、認証部９が複合機１を利用させても良いと認証した場合（ステップ♯１３のＹｅｓ）、その結果と利用者を特定するデータが制御部８に送信され、制御部８は、複合機１を利用可能状態とし、その利用者に対応する表示設定データを取得する（ステップ♯１５）。もし、表示設定データが記憶部８２に記憶されていれば、記憶部８２から取得し、サーバ３００に記憶されていれば、サーバ３００から取得し、ＩＣカード７に記憶されていれば、識別情報の取得と同時に表示設定データをカードリーダ６がＩＣカード７から取得し、認証部９を経て、制御部８に入力されればよい。
【００８１】
制御部８は、この表示設定データに基づき、最も優先順位の高い機能の設定画面を液晶表示部２３に表示させる（ステップ♯１６）。そして、カードリーダ６は、この状態において、一定の周期でＩＣカード７と無線通信を行うための電磁波を放出し、カードリーダ６は、ＩＣカード７がかざされている状態を把握する（ステップ♯１７）。
【００８２】
そして、制御部８は、同じＩＣカード７が再びかざされたことや、同じＩＣカード７がかざされ続けていることを確認し、液晶表示部２３の切替の必要性を確認する（ステップ♯１８）。ここで、カードリーダ６や制御部８が確認するのは、同じＩＣカード７が再びかざされたことや、同じＩＣカード７がかざされ続けていることの両方でも良いが、いずれか一方でもよい。尚、本実施形態では、両方の点をカードリーダ６や制御部８が確認するものとして説明する。
【００８３】
そして、制御部８は、液晶表示部２３の切替の必要性を確認できなければ（ステップ♯１８のＮｏ）、液晶表示部２３の表示を維持する（ステップ♯１９）。一方、同じＩＣカード７が再びかざされたことや、同じＩＣカード７がかざされ続けていることが確認できれば（ステップ♯１８のＹｅｓ）、制御部８は、現在の表示画面が表示設定データで設定された全ての機能設定画面のうち、優先度の最も低い画面を表示しているかを確認する（ステップ♯２０）。もし、優先度の最も低い画面が表示されていなければ（ステップ♯１９のＮｏ）、制御部８は、表示設定データに基づき、次の優先順位の機能設定用の画面への切替を行わせる（ステップ♯２１）。即ち、制御部８は、識別情報により特定された利用者の表示設定データに基づき、ＩＣカード７をかざす状態に応じて、操作パネル２の表示切り替えを行う。又、ＩＣカード７をかざす状態としては、カードリーダ６にＩＣカード７が再びかざされたこと、カードリーダ６にＩＣカード７がかざし続けられていること、を検出して、制御部８は操作パネル２の表示を切り替えさせる
【００８４】
一方、優先度の最も低い画面が表示されている場合（ステップ♯２０のＹｅｓ）、利用者が利用したい機能は、表示設定データで登録した機能と異なるか、誤って液晶表示部２３の表示を切り替えてしまったと考えられる。そこで、この場合、表示設定データ中で、優先度の最も高い機能の設定画面を表示させる（ステップ♯２２）。即ち、元に戻る。尚、利用者が利用したい機能が、表示設定データで設定した機能が無ければ、別途、操作パネル２を操作して、目的とする機能の設定画面に到達すればよい。
【００８５】
このようにして、本発明の構成によれば、無線通信部（カードリーダ６）に記憶媒体（ＩＣカード７）をかざす状態に応じて、表示入力部（操作パネル２、液晶表示部２３）の表示切替を行うので、表示入力部で階層をたどる等の複雑な操作を要することなく表示入力部での表示を切り替えることができる。又、各利用者が頻繁に使用する機能について表示されるように表示設定データを設定しておき、識別情報を利用して基づき各利用者の表示設定データを読み出して表示入力部の表示を切り替えるから、各利用者は、頻繁に使用する機能の設定画面のみを選択的に表示させることも、下位階層の機能の設定画面や全く別種の機能の設定画面をもいきなり表示させることもできる。
【００８６】
又、無線通信部に記憶媒体がかざされるごとに、制御部８は、表示入力部の表示を切り替えさせ、又、無線通信部に記憶媒体をかざし続けている間、制御部８は、表示入力部の表示を切り替えさせ続けるので、利用者は、表示入力部への操作を一切なしに、表示を切り替えることができる。又、制御部８は、記憶部８２ではなく、無線通信部により表示設定データを記憶媒体に記憶させることもできるので、異なる画像形成装置を利用する場合や、故障等により記憶部８２の表示設定データが失われた場合でも、利用者は、再度表示設定データの登録を行わずに、頻繁に使用する機能の設定画面を表示入力部に表示させることができる。又、記憶媒体から無線通信部が受信した識別情報に基づき、画像形成装置を利用可能か否かの認証を行う認証部９を備えるので、画像形成装置の認証機能を利用して表示入力部の表示切替を行うことができる。又、より操作が複雑となりやすい多機能の複合機１においても、利用者は容易、迅速に機能の設定を行うことができる。又、本発明を記憶媒体と画像形成装置による１つのシステムを１つの発明ととらえることもできる。
【００８７】
以下、別実施形態について説明する。上述の実施形態では、利用者が表示切替の順序を入力する態様を示したが、製造者が利用状況調査等により、記憶部８２等に予め一定の表示設定データを用意して記憶部８２等に登録しておき、その表示設定データを利用してＩＣカード７等をかざす状態により、表示が切り替えられても良い。又、認証時には、通常の初期画面を表示し、以後、表示設定データに基づき、画面の切替が行われても良い。
【００８８】
又、上述の実施形態では、ＩＣカード７として、パッシブ型のＩＣカード７を利用する場合について示したが、カード内に独自の電源（電池）を備えるアクティブ型のＩＣカード７を利用してもよい。
【００８９】
又、本発明の実施形態を説明したが、本発明の範囲はこれに限定されるものではなく、発明の主旨を逸脱しない範囲で種々の変更を加えて実施することができる。
【産業上の利用可能性】
【００９０】
本発明は、カードリーダ６等と、無線通信によりＩＣカード７等の記憶媒体を読み取るカードリーダ６を備えたって利用管理を行うプリンタ、複写機、複合機１等の画像形成装置、画像形成システムに利用可能である。
【図面の簡単な説明】
【００９１】
【図１】実施形態に係る複合機の模型的正面断面図である。
【図２】実施形態に係る複合機の構成の一例を示すブロック図である。
【図３】実施形態に係る認証部、カードリーダ、ＩＣカードの構成、接続の一例を示すブロック図である。
【図４】本発明の実施形態に係る複合機の操作パネルの一例を示す図である。
【図５】実施形態に係る正当なＩＣカードがかざされた時の液晶表示部の表示の設定の登録を行う際の制御の一例を示すフローチャートである。
【図６】実施形態に係る液晶表示部での表示の一例を示す説明図である。
【図７】実施形態に係る液晶表示部の表示の切替の一例を示す説明図である。
【図８】実施形態に係る液晶表示部の表示の切替の一例を示す説明図である。
【図９】実施形態に係る液晶表示部の表示の切替制御の流れの一例を説明するためのフローチャートである。
【符号の説明】
【００９２】
１      複合機（画像形成装置）      ２    操作パネル（表示入力部）
２３    液晶表示部                  ６    カードリーダ（無線通信部）
７      ＩＣカード（記憶媒体）      ８    制御部
８２    記憶部                      ９    認証部
３００  サーバ
【図１】
0005049875.tif 000002
【図２】
0005049875.tif 000003
【図３】
0005049875.tif 000004
【図４】
0005049875.tif 000005
【図５】
0005049875.tif 000006
【図６】
0005049875.tif 000007
【図７】
0005049875.tif 000008
【図８】
0005049875.tif 000009
【図９】
0005049875.tif 000010